(57)【要約】【課題】タイムコードの変換の応答性を高める。【解決手段】第１の映像信号（３０ＦＰＳ信号）に付加された時間情報と、第２の映像信号（２４ＦＰＳ信号）変換時の基準となる時間情報との間の位相相違パターンをパターン検出器９で検出する。タイムコード変換器７は、検出した位相相違パターンに応じた変換テーブルを記憶器１０から読み出し読み出した変換テーブルに基づいて第１のタイムコード（ＴＣ３０）を第２のタイムコード（ＴＣ２４）に変換する。これにより、第１の映像信号の同期信号と、第２の映像信号の同期信号との間で同期が一致するタイミングよりも短い間隔で第１のタイムコードを第２のタイムコードとを同期させるポイントを設定することが可能となる。【選択図】  図１
2004312275.tif 000002
【特許請求の範囲】
【請求項１】
第１のフレームレートを有する第１の映像信号を、前記第１のフレームレートとは異なる第２のフレームレートを有する第２の映像信号に変換する際において、前記第１の映像信号に対応する第１のタイムコードを前記第２の映像信号に対応する第２のタイムコードに変換するタイムコード変換装置であって、
前記第１の映像信号に付加された時間情報と、前記第２の映像信号への変換時の基準となる時間情報との間の位相相違パターンを検出するパターン検出器と、
前記第１のタイムコードを前記第２のタイムコードに変換する変換テーブルを、前記位相相違パターン毎に設定して記憶する記憶器と、
前記パターン検出器が検出した前記位相相違パターンに応じた変換テーブルを前記記憶器から読み出し、読み出した変換テーブルに基づいて前記第１のタイムコードを前記第２のタイムコードに変換するタイムコード変換器と、
を有することを特徴とするタイムコード変換装置。
【請求項２】
請求項１に記載のタイムコード変換装置において、
前記パターン検出器は、前記第１の映像信号に付加された第１の同期信号と、第２の映像信号変換時に用いる第２の同期信号との間の最大公約数周波数を設定したうえで、設定した最大公約数周波数となるように前記第１，第２の同期信号を分周処理することで第１の同期分周信号と第２の同期分周信号とをそれぞれ生成し、生成したこれら第１，第２の同期分周信号の間の位相相違パターンを検出するものである、
ことを特徴とするタイムコード変換装置。
【請求項３】
請求項１または２に記載のタイムコード変換装置において、
前記第１の映像信号は、３０フレーム／秒フォーマットの映像信号であり、前記第２の映像信号は、２４フレーム／秒フォーマットの映像信号である、
ことを特徴とするタイムコード変換装置。
【請求項４】
請求項３に記載のタイムコード変換装置において、
前記パターン検出器は、前記第１の映像信号に付加された３０Ｈｚ同期信号の５分周信号に相当する第１の６Ｈｚ同期分周信号と、前記第２の映像信号変換時に用いる２４Ｈｚ同期信号の４分周信号に相当する第２の６Ｈｚ同期分周信号とを生成したうえで、生成したこれら第１，第２の６Ｈｚ同期分周信号の間の位相相違パターンを検出するものである、
ことを特徴とするタイムコード変換装置。
【請求項５】
請求項４に記載のタイムコード変換装置において、
前記パターン検出器は、前記第１，第２の６Ｈｚ同期分周信号として６Ｈｚ周期でカウントアップを繰り返す数値データを生成したうえで、生成した数値データどうしの増進パターンを比較することで、前記位相相違パターンを検出するものである、
ことを特徴とするタイムコード変換装置。
【請求項６】
請求項５に記載のタイムコード変換装置において、
前記パターン検出器は、
前記第１のタイムコードを整数５で除算した余りから、前記数値データ化した第１の６Ｈｚ同期分周信号を生成し、
前記２４Ｈｚ同期信号を４分周して生成する前記第２の６Ｈｚ同期分周信号の周期で、前記３０Ｈｚ同期信号に基づいてカウントアップを繰り返すことで前記数値データ化した第２の６Ｈｚ同期分周信号を生成する、
ものである、
ことを特徴とするタイムコード変換装置。
【請求項７】
請求項１ないし６のいずれかに記載のタイムコード変換装置において、
前記第１の映像信号を前記第２の映像信号に変換する際における前記第１の映像信号の再生スピードを検出する速度検出器と、
前記第１の映像信号再生時における前記第１の映像信号の映像経過状態を検出する状態検出器と、
をさらに備え、
前記記憶器は、前記第１の映像信号の微速再生時の映像経過状態に対応した前記変換テーブルをさらに設定して記憶しており、
前記タイムコード変換器は、前記速度検出器が前記第１の映像信号の再生速度を微速再生と判断する場合には、前記状態検出器が検出した映像状態に応じた前記変換テーブルを前記記憶器から読み出し、読み出した前記変換テーブルに基づいて前記第１のタイムコードを前記第２のタイムコードに変換し、
微速再生以外の再生速度と判断する場合には、前記位相相違パターン毎に設定した前記変換テーブルを前記記憶器から読み出し、読み出した前記変換テーブルに基づいて前記第１のタイムコードを前記第２のタイムコードに変換するものである、
ことを特徴とするタイムコード変換装置。
【請求項８】
請求項７に記載のタイムコード変換装置において、
前記第１の映像信号はインターレース映像信号であり、
前記状態検出器は、前記第１の映像信号のフィールド位置を検出するものである、
ことを特徴とするタイムコード変換装置。
【請求項９】
請求項７または８に記載のタイムコード変換装置において、
前記速度検出器は、前記第１の映像信号の再生速度が０．５倍速未満である場合を微速再生と判断するものである、
ことを特徴とするタイムコード変換装置。
【請求項１０】
請求項１ないし９のいずれかに記載のタイムコード変換装置と、前記第１の映像信号を前記第２の映像信号に変換する映像変換器と、
を備えることを特徴とする映像変換装置。
【発明の詳細な説明】
【０００１】
【発明の属する技術分野】
本発明は、第１のフレームレートを有する第１の映像信号を前記第１のフレームレートとは異なる第２のフレームレートを有する第２の映像信号に変換する際において、前記第１の映像信号に対応する第１のタイムコードを前記第２の映像信号に対応する第２のタイムコードに変換するタイムコード変換装置、およびこのタイムコード変換装置を備えた映像変換装置に関する。
【０００２】
【従来の技術】
従来から、３０フレーム／秒フォーマットの映像信号（以下、３０ＦＰＳ信号という）を２４フレーム／秒フォーマットの映像信号（以下、２４ＦＰＳ信号という）に変換する際において、３０ＦＰＳ信号に付加された３０カウント／秒のタイムコード（以下、ＴＣ３０という）を、２４ＦＰＳ映像信号に対応した２４カウント／秒のタイムコード（以下、ＴＣ２４という）に変換するタイムコード変換装置が種々考えられている。（例えば、特許文献１参照）
【０００３】
【特許文献１】
特開平５−９１４６７号公報
【０００４】
【発明が解決しようとする課題】
しかしながら、従来からあるタイムコード変換装置では、変換前の３０ＦＰＳ信号の同期信号となる３０Ｈｚ同期信号と、２４ＦＰＳ信号変換時の同期信号となる２４Ｈｚ同期信号との間で同期が一致するタイミングでないと、ＴＣ２４をＴＣ３０に同期させるポイントを設定することができず、そのために、ＴＣ３０→ＴＣ２４のタイムコード変換の応答性がよくない、という課題があった。具体的には、３０Ｈｚ同期信号と２４Ｈｚ同期信号との間で同期が一致するタイミングは６Ｈｚ周期となる。そのため、ＴＣ３０→ＴＣ２４のタイムコード変換時には、６Ｈｚ周期でしか上記同期ポイントを設定することができず、それより短い間隔で同期ポイントを設定することができなかった。
【０００５】
【課題を解決するための手段】
上述した課題を解決するために、本発明は、第１のフレームレートを有する第１の映像信号を、前記第１のフレームレートとは異なる第２のフレームレートを有する第２の映像信号に変換する際において、前記第１の映像信号に対応する第１のタイムコードを前記第２の映像信号に対応する第２のタイムコードに変換するタイムコード変換装置において、次のように構成する。
【０００６】
本発明は、前記第１の映像信号に付加された時間情報と、前記第２の映像信号への変換時の基準となる時間情報との間の位相相違パターンを検出するパターン検出器と、
前記第１のタイムコードを前記第２のタイムコードに変換する変換テーブルを、前記位相相違パターン毎に設定して記憶する記憶器と、
前記パターン検出器が検出した前記位相相違パターンに応じた変換テーブルを前記記憶器から読み出し、読み出した変換テーブルに基づいて前記第１のタイムコードを前記第２のタイムコードに変換するタイムコード変換器と、
を有する。
【０００７】
第１の映像信号に付加された時間情報と第２の映像信号変換時の基準となる時間情報とは互いに位相が異なるために複数の位相相違パターンが存在する。本発明は、これらの位相相違パターン毎に、第１のタイムコードを第２のタイムコードに変換する変換テーブルを備えている。そのため、本発明は、変換前の第１の映像信号の同期信号と、変換後の第２の映像信号の同期信号との間で同期が一致するタイミングよりも短い間隔で第１のタイムコードと第２のタイムコードとを同期させるポイントを設定することが可能となる。これにより、第１のタイムコードから第２のタイムコードへ変換する際の応答性が向上する。
【０００８】
なお、前記パターン検出器の具体的な構成としては、次のものがある。すなわち、前記第１の映像信号に付加された第１の同期信号と、第２の映像信号変換時に用いる第２の同期信号との間の最大公約数周波数を設定したうえで、設定した最大公約数周波数となるように前記第１，第２の同期信号を分周処理することで第１の同期分周信号と第２の同期分周信号とをそれぞれ生成し、生成したこれら第１，第２の同期分周信号の間の位相相違パターンを検出する構成が例として挙げられる。
【０００９】
なお、前記第１の映像信号としては、３０フレーム／秒フォーマットの映像信号が例として挙げられる。前記第２の映像信号としては、２４フレーム／秒フォーマットの映像信号が例として挙げられる。
【００１０】
第１，第２の映像信号をこのように設定した場合、さらに次のように構成するのが好ましい。すなわち、前記パターン検出器は、前記第１の映像信号に付加された３０Ｈｚ同期信号の５分周信号に相当する第１の６Ｈｚ同期分周信号と、前記２４ＦＰＳ信号変換時に用いる２４Ｈｚ同期信号の４分周信号に相当する第２の６Ｈｚ同期分周信号とを生成したうえで、生成したこれら第１，第２の６Ｈｚ同期分周信号の間の位相相違パターンを検出するものとするのが好ましい。
【００１１】
このように構成すれば、第１，第２の６Ｈｚ同期分周信号どうしの位相相違パターンに応じた同期ポイントを設定することが可能となる。
【００１２】
さらには、前記パターン検出器は、前記第１，第２の６Ｈｚ同期分周信号として６Ｈｚ周期でカウントアップを繰り返す数値データを生成したうえで、生成した数値データどうしの増進パターンを比較することで、前記位相相違パターンを検出するものであるのが好ましい。そうすれば、位相相違パターンをデジタル処理により検出することが可能となり、その分、本発明がデジタル映像信号の処理に適した構成となる。
【００１３】
さらには、前記パターン検出器は、前記第１のタイムコードを整数５で除算した余りから前記数値データ化した第１の６Ｈｚ同期分周信号を生成し、前記２４Ｈｚ同期信号を４分周して生成する前記第２の６Ｈｚ同期分周信号の周期で、前記３０Ｈｚ同期信号に基づいてカウントアップを繰り返すことで前記数値データ化した第２の６Ｈｚ同期分周信号を生成するものであるのが好ましい。そうすれば、数値化した第１，第２の６Ｈｚ同期分周信号を比較的容易に形成することが可能となる。
【００１４】
さらには、前記第１の映像信号を前記第２の映像信号に変換する際における前記第１の映像信号の再生スピードを検出する速度検出器と、
前記第１の映像信号再生時における前記第１の映像信号の映像経過状態を検出する状態検出器と、
をさらに備えており、
前記記憶器は、前記第１の映像信号の微速再生時の映像経過状態に対応した前記変換テーブルをさらに設定して記憶しており、
前記タイムコード変換器は、前記速度検出器が前記第１の映像信号の再生速度を微速再生と判断する場合には、前記状態検出器が検出した映像状態に応じた前記変換テーブルを前記記憶器から読み出し、読み出した前記変換テーブルに基づいて前記第１のタイムコードを前記第２のタイムコードに変換し、
微速再生以外の再生速度と判断する場合には、前記位相相違パターン毎に設定した前記変換テーブルを前記記憶器から読み出し、読み出した前記変換テーブルに基づいて前記第１のタイムコードを前記第２のタイムコードに変換するものであるのが好ましい。
【００１５】
本発明を実施する場合、第１の映像信号を微速再生する際には上述した位相相違パターンが成立しなくなる。その場合においては、上述したように、映像状態に応じた変換テーブルを設定し、微速再生時には、その映像状態に応じた変換テーブルに基づいてタイムコード変換を実施すればよい。そうすることで、本発明は、微速再生時においても精度高くタイムコード変換を実施することが可能となる。
【００１６】
前記第１の映像信号がインターレース映像信号である場合、第１の映像信号のフィールド位置を、前記映像状態の一例として挙げることができる。
【００１７】
なお、上述した位相相違パターンが成立しなくなる第１の映像信号の微速再生速度としては、０．５倍速未満を挙げることができる。
【００１８】
【発明の実施の形態】
図１は、本発明の一実施形態のタイムコード変換装置が組み込まれた映像変換装置の構成を示すブロック図である。この映像変換装置１は、３０フレーム／秒のフレームレートを有する第１の映像信号（以下、３０ＦＰＳ信号という）を、３０ＦＰＳ信号とはフレームレートの異なるフレームレートである２４フレーム／秒のフレームレートを有する第２の映像信号（以下、２４ＦＰＳ信号という）に変換するとともに、３０ＦＰＳ信号に付加された３０カウント／秒の第１のタイムコード（以下、ＴＣ３０という）を２４ＦＰＳ映像信号に対応した２４カウント／秒の第２のタイムコード（以下、ＴＣ２４という）に変換する装置である。
【００１９】
映像変換装置１は、３０Ｈｚ同期信号発生器２と、２４Ｈｚ同期信号発生器３と、テープ走行器４と、再生器５と、サンプリング器６と、タイムコード変換器７と、映像変換器８と、パターン検出器９と、記憶器１０と、フィールド検出器１１と、速度検出器１２とを備えている。
【００２０】
２４Ｈｚ同期信号発生器３は、映像変換（３０ＦＰＳ信号→２４ＦＰＳ信号）やタイムコード変換（ＴＣ３０→ＴＣ２４）する際の基準同期信号である２４Ｈｚ同期信号を生成してサンプリング器６とパターン検出器９と３０Ｈｚ同期信号発生器２とに供給する。３０Ｈｚ同期信号発生器２は、２４Ｈｚ同期信号発生器３から供給される２４Ｈｚ同期信号に基づいて３０ＦＰＳ信号を再生する際の基準同期信号である３０Ｈｚ同期信号を生成して、テープ走行器４とパターン検出器９とに供給する。具体的には、２４Ｈｚ同期信号を３０／２４逓倍処理することで３０Ｈｚ同期信号を生成する。再生器５は、３０ＦＰＳ信号が記録されたデジタルビデオテープＶからデジタル映像信号（タイムコード情報を含む）を再生する。テープ走行器４は、再生器５がデジタルビデオテープＶを再生する際において、再生器５が有する再生ヘッドＨに対してデジタルビデオテープＶを相対的に走行させる。サンプリング器６は、再生器５が再生する３０ＦＰＳ信号に含まれるＴＣ３０を、２４Ｈｚ同期信号に同期したタイミングで読み出すことで読み出しＴＣ３０を生成する。記憶器１０は、読み出しＴＣ３０をＴＣ２４に変換する変換テーブルを記録している。記憶器１０は、複数の変換テーブルを記録している。これら複数の変換テーブルは、３０ＦＰＳ信号の同期タイミング（時間情報）と、２４ＦＰＳ信号変換時の基準となる同期タイミング（時間情報）との間の位相相違パターン毎にそれぞれ設定されている。パターン検出器９は、３０ＦＰＳ信号の同期タイミング（時間情報）と、２４ＦＰＳ信号変換時の基準となる同期タイミング（時間情報）との間の位相相違パターンを検出する。タイムコード変換器７は、変換器本体７Ａと選択器７Ｂとを備えている。選択器７Ｂは、パターン検出器９や速度検出器１２の検出結果に応じた変換テーブルを記憶器１０から読み出す。変換器本体７Ａは、選択器７Ｂが選択する変換テーブルに基づいて読み出しＴＣ３０をＴＣ２４に変換する。映像変換器８は、再生器５が再生したデジタル映像信号中に含まれる３０ＦＰＳ信号を２４ＦＰＳ信号に変換する。フィールド検出器１１は、再生器５より再生中の３０ＦＰＳ信号（デジタル映像信号）の映像経過状態情報であるフィールド位置を検出して、そのフィールド位置情報を変換器本体７Ａに供給する。速度検出器１２は、再生走行しているデジタルビデオテープＶの速度情報をテープ走行器４から検出して選択器７Ｂに供給する。本実施形態では、フィールド検出器１１から映像経過状態を検出する状態検出器が構成される。
【００２１】
なお、映像変換装置１においては、映像変換器８以外の構成からタイムコード変換装置が構成される。
【００２２】
以下、映像変換装置１によるタイムコード変換操作の詳細を図２〜図１３を参照して説明する。
【００２３】
３０ＦＰＳ信号の５フレーム相当時間（５／３０秒＝１／６秒）と２４ＦＰＳ信号の４フレーム相当時間（４／２４秒＝１／６秒）とは同期間となる。そのため、３０ＦＰＳ信号と２４ＦＰＳ信号とは１／６秒周期で同期する。３０ＦＰＳ信号を２４ＦＰＳ信号に変換する際に同時に実施される、ＴＣ３０→ＴＣ２４のタイムコード変換操作においては、ＴＣ３０をＴＣ２４に変換する操作には、１／６秒周期が存在する。
【００２４】
具体的には、ＴＣ３０における１／６秒分のタイムコード（３０Ａ），（３０Ｂ），（３０Ｃ），（３０Ｄ），（３０Ｅ）が、ＴＣ２４における１／６秒分のタイムコード（２４ａ），（２４ｂ），（２４ｃ），（２４ｄ）に変換される。ここで、ＴＣ３０に下付き文字として付されているＡはタイムコード番号５ｘを示し、Ｂは５ｘ＋１を示し、Ｃは５ｘ＋２を示し、Ｄは５ｘ＋３を示し、Ｅは５ｘ＋４を示す。一方、ＴＣ２４に下付き文字として付されているａはタイムコード番号４ｘを示し、ｂは４ｘ＋１を示し、Ｃは４ｘ＋２を示し、ｄは４ｘ＋３をそれぞれ示す。ここでｘは０〜５の整数を示す。
【００２５】
このようなタイムコードの変換に際しては、１／６秒間隔において５回カウントアップされるＴＣ３０（３０Ａ〜Ｅ）の中から一つのタイムコードを間引くことで、１／６秒間隔において４回カウントアップされるＴＣ２４（２４ａ〜ｄ）が生成される。
【００２６】
このようなタイムコード変換作業は具体的には図３〜図７に示されるように実施される。まず、３０ＦＰＳ信号の同期信号（３０Ｈｚ同期信号）に同期する再生ＴＣ３０が２４ＦＰＳ信号の同期信号（２４Ｈｚ同期信号）の任意のタイミング周期（例えば、立下りタイミング）で読み出される。読み出されるＴＣ３０は、所定の周期でタイムコードデータが間引かれた不連続なデータとなる。タイムコード変換に際して、映像変換装置１は、不連続な読み出しＴＣ３０を、連続したＴＣ２４に変換する変換テーブルを記憶器１０に記憶している。変換テーブルの詳細は図２に示される。タイムコード変換器７は、読み出された不連続ＴＣ３０に適した変換テーブルを記憶器１０から読み出し、その変換テーブルに基づいて読み出しＴＣ３０をＴＣ２４に変換する。変換されたＴＣ２４は、２４ＦＰＳ信号の同期信号（２４Ｈｚ同期信号）の任意のタイミング周期（例えば、立ち上がり周期）で出力される。
【００２７】
ＴＣ３０を読み出す際に行われるタイムコード間引き処理には周期性があり、その周期性により次の５つの間引きパターンが存在する。
・パターン１：タイムコード３０Ｄが間引かれるパターン。
・パターン２：タイムコード３０Ｅが間引かれるパターン。
・パターン３：タイムコード３０Ａが間引かれるパターン。
・パターン４：タイムコード３０Ｂが間引かれるパターン。
・パターン５：タイムコード３０Ｃが間引かれるパターン。
【００２８】
図３〜図７それぞれには、これらパターン１〜５毎の変換操作が示されている。図３〜図７において、ＴＣ２４のタイムコード２４ａ〜ｄの繰り返し周期が、出力ＴＣ２４位相として示される。ＴＣ３０のタイムコード３０Ａ〜Ｅの繰り返し周期が再生ＴＣ３０位相として示される。なお、各図において同期ポイントと記されたタイミングは、３０ＦＰＳ信号を２４ＦＰＳ信号に変換する際に互いの映像の間で同期を一致されるタイミングを示す。
【００２９】
再生ＴＣ３０位相と出力ＴＣ２４位相との位相相違パターンを詳細にみれば、次のことが理解される。
・再生ＴＣ３０位相が出力ＴＣ２４位相に対して１／３０秒だけ時間的に先行する位相相違パターンの場合には、上述したパターン１となる。
・再生ＴＣ３０位相が出力ＴＣ２４位相に対して２／３０秒だけ時間的に先行する位相相違パターンの場合には、上述したパターン２となる。
・再生ＴＣ３０位相が出力ＴＣ２４位相に対して３／３０秒だけ時間的に先行する位相相違パターンの場合には、上述したパターン３となる。
・再生ＴＣ３０位相が出力ＴＣ２４位相に対して４／３０秒だけ時間的に先行する位相相違パターンの場合には、上述したパターン４となる。
・再生ＴＣ３０位相が出力ＴＣ２４位相と一致する位相相違パターンの場合には、上述したパターン５となる。
【００３０】
このように、再生ＴＣ３０位相と出力ＴＣ２４位相との間の位相相違パターンを検出すれば、ＴＣ３０を読み出す際に行われるタイムコード間引き処理における間引きパターンを認知することができる。映像変換装置１では、図２に示すように、間引きパターン毎に変換テーブルを設定して記憶器１０に記憶している。具体的には、パターン１に対応した変換テーブルにおいては、タイムコード３０Ｄ（Ｄ＝５ｘ＋３）が間引かれていることを前提にして、読み出された不連続なＴＣ３０を連続したＴＣ２４に変換する変換テーブル構成となっている。
【００３１】
パターン２に対応した変換テーブルにおいては、タイムコード３０Ｅ（Ｄ＝５ｘ＋４）が間引かれていることを前提にして、読み出された不連続なＴＣ３０を連続したＴＣ２４に変換する変換テーブル構成となっている。
【００３２】
パターン３に対応した変換テーブルにおいては、タイムコード３０Ａ（Ｄ＝５ｘ）が間引かれていることを前提にして、読み出された不連続なＴＣ３０を連続したＴＣ２４に変換する変換テーブル構成となっている。
【００３３】
パターン４に対応した変換テーブルにおいては、タイムコード３０Ｂ（Ｄ＝５ｘ＋１）が間引かれていることを前提にして、読み出された不連続なＴＣ３０を連続したＴＣ２４に変換する変換テーブル構成となっている。
【００３４】
パターン５に対応した変換テーブルにおいては、タイムコード３０Ｃ（Ｄ＝５ｘ＋２）が間引かれていることを前提にして、読み出された不連続なＴＣ３０を連続したＴＣ２４に変換する変換テーブル構成となっている。
【００３５】
映像変換装置１は、間引きパターンを認知すれば、認知した間引きパターンに応じた変換テーブルを記憶器１０から読み出し、読み出した変換テーブルに基づいて、間引きにより不連続となった読み出しＴＣ３０を連続したＴＣ２４に変換する。これにより、映像変換装置１は、１／３０秒間隔で同期ポイントを設定しても、設定した同期ポイントに応じた変換テーブルを記憶器１０から読み出してＴＣ３０を正確にＴＣ２４に変換することが可能となる。
【００３６】
映像変換装置１（具体的にはパターン検出器９）は、次のようにして再生ＴＣ３０位相と出力ＴＣ２４位相との間の位相相違パターンを検出する。
【００３７】
まず、２４Ｈｚ同期信号と３０Ｈｚ同期信号との間の最大公約数周波数が設定される。この場合、最大公約数周波数は６Ｈｚとなる。最大公約数周波数を設定したうえで、再生ＴＣ３０の位相の検出は次のように実施される。最初に、再生ＴＣ３０のタイムコード値を５で除算した余りが算出される。以下、算出された再生ＴＣ３０の余りデータは再生ＴＣ３０カウント値と称される。再生ＴＣ３０カウント値は１／３０秒間隔で０，１，２，３，４の値を繰り返す６Ｈｚ周期（最大公約数周波数周期）のデータ構成となる。再生ＴＣ３０カウント値は、再生ＴＣ３０位相を数値化したデータとなる。本実施形態では、再生ＴＣ３０カウント値から３０ＦＰＳ信号に付加された時間情報や、最大公約数周波数周期の第１の同期分周信号や、第１の６Ｈｚ同期分周信号が構成される。
【００３８】
一方、２４ＦＰＳ信号変換時に用いられる２４Ｈｚ同期信号を４分周処理することで６Ｈｚ同期分周信号が生成される。そして、６Ｈｚ同期分周信号の（０，１）データが３０Ｈｚ同期信号の所定のタイミング（例えば立上がりタイミング）で読み出される。読み出されたデータは、３０Ｈｚの間隔で１，１，１，０，０の値を繰り返す６Ｈｚ周期（最大公約数周波数周期）のデータ構成となる。次に、読み出されたデータにおいて、値が０から１に変化するタイミングで０にクリアされ、その後は、３０Ｈｚ同期信号で規定される１／３０秒毎にカウントアップされて出力される。以下、このようにして算出されるカウント値をインターナル６Ｈｚカウント値と称する。インターナル６Ｈｚカウント値は、０，１，２，３，４の値を３０Ｈｚの間隔で繰り返す６Ｈｚ周期（最大公約数周波数周期）のデータ構成となる。インターナル６Ｈｚカウント値は出力ＴＣ２４位相を数値化したデータとなる。本実施形態では、インターナル６Ｈｚカウント値から２４ＦＰＳ信号変換時の基準となる時間情報や、最大公約数周波数周期の第２の同期分周信号や、第２の６Ｈｚ同期分周信号が構成される。
【００３９】
次に、再生ＴＣ３０カウント値とデータ構成とインターナル６Ｈｚカウント値との数値データとの位相相違パターンを検出する。インターナル６Ｈｚカウント値（０，１，２，３，４）に対して、再生ＴＣ３０カウント値（１，２，３，４，０）が対応する場合には、上述したパターン１と判定する。インターナル６Ｈｚカウント値（０，１，２，３，４）に対して、再生ＴＣ３０カウント値（２，３，４，０，１）が対応する場合には、上述したパターン２と判定する。インターナル６Ｈｚカウント値（０，１，２，３，４）に対して、再生ＴＣ３０カウント値（３，４，０，１，２）が対応する場合には、上述したパターン３と判定する。インターナル６Ｈｚカウント値（０，１，２，３，４）に対して、再生ＴＣ３０カウント値（４，０，１，２，３）が対応する場合には、上述したパターン４と判定する。インターナル６Ｈｚカウント値（０，１，２，３，４）に対して、再生ＴＣ３０カウント値（０，１，２，３，４）が対応する場合には、上述したパターン５と判定する。
【００４０】
そして、判定したパターンに対応する変換テーブルを記憶器１０から読み出し、読み出した変換テーブルに基づいて、読み出しＴＣ３０をＴＣ２４に変換する。
【００４１】
以上が映像変換装置１におけるタイムコード変換操作の概要である。次に、映像変換装置１のタイムコード変換動作の詳細を図８〜図１２を参照して説明する。
【００４２】
まず、同期ポイントが設定される。同期ポイントは、２４ＦＰＳ信号上の所定のフレーム位置を３０ＦＰＳ信号上のどのフレーム位置に同期させるかを示す映像信号上の時点情報である。３０ＦＰＳ信号を再生する際の同期信号として用いられる３０Ｈｚ同期信号と、３０ＦＰＳ信号を２４ＦＰＳ信号に変換する際の同期信号として用いられる２４Ｈｚ同期信号とは、同期ポイントに同期した信号形態となる。映像変換装置１では、同期ポイントは１／３０秒間隔で設定される。このような微小時間間隔で同期ポイントを設定しても映像変換装置１は、精度高くタイムコード変換を実施できる。
【００４３】
同期ポイントが設定されると、再生ヘッドＨに対するデジタルビデオテープＶの相対位置が同期ポイントに一致するように、デジタルビデオテープＶがテープ走行器４により走行される。その際、再生器５によってデジタルビデオテープＶが予備的に再生される。再生は、３０Ｈｚ同期信号発生器２が発生させる３０Ｈｚ同期信号に同期した状態で実施される。再生されるデジタル映像信号は、サンプリング器６と映像変換器８とパターン検出器９とフィールド検出器１１とに供給される。サンプリング器６は、デジタル映像信号からＴＣ３０を取り出して、変換器本体７Ａに供給する。
【００４４】
パターン検出器９には、ＴＣ３０の他、３０Ｈｚ同期信号発生器２と２４Ｈｚ同期信号発生器３とからそれぞれ３０Ｈｚ同期信号と２４Ｈｚ同期信号とが供給される。
【００４５】
パターン検出器９は、２４Ｈｚ同期信号発生器３から供給される２４Ｈｚ同期信号を４分周処理することで６Ｈｚ同期分周信号を生成する。さらにパターン検出器９は、６Ｈｚ同期分周信号の（０，１）データを３０Ｈｚ同期信号の立上がりタイミングで読み出す。読み出されたデータは、３０Ｈｚの間隔で１，１，１，０，０の値を６Ｈｚ周期で繰り返すデータ構成となる。次に、パターン検出器９は、読み出したデータにおいて、値が０から１に変化するタイミングで０にクリアされ、その後は、３０Ｈｚ同期信号で規定される１／３０秒毎にカウントアップされることで、インターナル６Ｈｚカウント値が生成される。
【００４６】
さらに、パターン検出器９は、サンプリング器６から供給されるＴＣ３０の値を整数５で除算した余りからなる再生ＴＣ３０カウント値を生成する。
【００４７】
次に、パターン検出器９は再生ＴＣ３０カウント値の数値データとインターナル６Ｈｚカウント値の数値データとの位相相違パターンを検出する。検出するパターンの詳細は次の通りとなる。
・インターナル６Ｈｚカウント値（０，１，２，３，４）に対して、再生ＴＣ３０カウント値（１，２，３，４，０）が対応する図８に示す位相相違パターンの場合には、パターン１と判定する。
・インターナル６Ｈｚカウント値（０，１，２，３，４）に対して、再生ＴＣ３０カウント値（２，３，４，０，１）が対応する図９に示す位相相違パターンの場合には、パターン２と判定する。
・インターナル６Ｈｚカウント値（０，１，２，３，４）に対して、再生ＴＣ３０カウント値（３，４，０，１，２）が対応する図１０に示す位相相違パターンの場合には、パターン３と判定する。
・インターナル６Ｈｚカウント値（０，１，２，３，４）に対して、再生ＴＣ３０カウント値（４，０，１，２，３）が対応する図１１に示す位相相違パターンの場合には、パターン４と判定する。
・インターナル６Ｈｚカウント値（０，１，２，３，４）に対して、再生ＴＣ３０カウント値（０，１，２，３，４）が対応する図１２に示す位相相違パターンの場合には、パターン５と判定する。
【００４８】
パターン検出器９は、判定した位相相違パターンを選択器７Ｂに通知する。選択器７Ｂは、パターン検出器９から通知された位相相違パターンに応じた変換テーブル（図２参照）を記憶器１０から読み出して変換器本体７Ａに供給する。
【００４９】
変換器本体７Ａは、選択器７Ｂから供給される変換テーブルに基づいて読み出しＴＣ３０をＴＣ２４に変換したのち出力する。パターン毎のタイムコード変換過程が図８〜図１２に示される。
【００５０】
一方、映像変換器８は、再生器５から供給されるデジタル映像信号を、２４ＦＰＳ信号に変換して出力する。映像変換は、２４Ｈｚ同期信号発生器３から供給される２４Ｈｚ同期信号に同期したタイミングで実施される。変換される２４ＦＰＳ信号は、変換器本体７Ａから出力されるＴＣ２４と同期ポイントにおいて同期した信号形態で出力される。
【００５１】
このように、映像変換装置１では、再生ＴＣ３０の１／３０秒間隔のどのタイミングにインターナル６Ｈｚカウント値（２４Ｈｚ同期信号）の位相が設定されていても、その位相相違パターンに応じた変換テーブルに基づいてＴＣ３０をＴＣ２４に変換することができる。そのため、映像変換装置１は、６Ｈｚ周期より短い間隔、具体的には、３０Ｈｚ周期で同期ポイントを設定することが可能となり、その分、タイムコード変換の応答性が向上する。
【００５２】
以上説明した映像変換装置１におけるタイムコード変換工程は、３０ＦＰＳ信号を等速再生した場合を前提にしている。しかしながら、タイムコードの変換に際しては、同期ポイントを正確に合わせ込む必要から、同期ポイントが一致する間際においては、再生速度を徐々に遅らせながら、もしくは徐々に早められなが３０ＦＰＳ信号が再生される。映像変換装置１では、上述したタイムコード変換工程により精度の高いタイムコード変換が行える。しかしながら、再生速度が０．５倍速未満の微速再生になると、上述したタイムコード変換工程では、再生器５から出力される再生ＴＣ３０自身に不連続性が生じる。具体的には、微速再生時に、３０Ｈｚ同期信号に同期したタイミングで再生ＴＣ３０を取り出すと、隣接するタイミングにおいて同一のタイムコードを読み出してしまう。特に、０．５倍速未満の微速再生時には、隣接する３タイミングにおいて同一のタイムコードを読み出すことが生じる。このような不連続性を有する再生ＴＣ３０を、上述した方法によりＴＣ２４に変換しても連続したＴＣ２４とはならない。
【００５３】
そこで、映像変換装置１では、０．５倍速未満の微速再生時には、次のようにしてＴＣ３０を正確にＴＣ２４に変換する。なお、以下の変換方法は、次のような映像変換が前提となる。
【００５４】
２４フレーム／秒のプログレッシブ映像信号（以下、２４ｐ映像信号という）に対して一次変換が実施されることで、３０フレーム／秒のインターレース映像信号（以下、６０ｉ映像信号という）が生成される場合を想定する。この場合、一次変換後の映像信号（６０ｉ映像信号）を構成するフィールドデータとして、元の映像信号（２４ｐ映像信号）を構成するフィールドデータが重複して配置される。具体的には、元の映像信号（２４ｐ映像信号）の１フレーム分のフレームデータが一次変換後の映像信号（６０ｉ映像信号）の３フィールド分のフィールドデータとして重複配置されるデータ領域と、前記１フレーム分のフレームデータが２フィールド分のフィールドデータとして重複配置されるデータ領域とを一組とするデータ領域組が、繰り返し配列されており、このようなデータ配列を行うことで上記一次変換が実施される。以下、このような変換処理を２−３プルダウン変換処理という。
【００５５】
２−３プルダウン変換処理（一次変換）が実施された映像信号（６０ｉ映像信号）を、元の映像信号（２４ｐ映像信号）に二次変換することが上記前提となる。
【００５６】
デジタルビデオテープＶを再生器５によって０．５倍速未満で微速再生すると、読み出しＴＣ３０は、再生速度低下に伴って、タイムコード値を３連続以上で重複して読み出すタイムコード領域が発生する。この場合、上述したパターン１〜５の位相相違パターンに基づいた変換テーブルでは対応できない。しかしながら、再生中の６０ｉ映像信号のフィールド位置が検知できれば、そのフィールド位置に応じたタイムコードを付与することが可能となる。これは、上述した２−３プルダウン変換処理を一例とする２４ｐ映像信号から６０ｉ映像信号への映像フォーマットの規則的な変換処理においては、変換後の６０ｉ映像信号におけるフィールド位置と変換前の２４ｐ映像信号のタイムコードとは正確に一対一に対応することに基づいている。
【００５７】
そこで、映像変換装置１では、記憶器１０において、微速再生時における変換テーブルをさらに記憶している。図１３には、２−３プルダウン変換処理に対応した微速再生（０．５倍速未満）時の変換テーブルの一例が示されている。
【００５８】
映像変換装置１では、テープ走行器４からのテープ再生速度情報が速度検出器１２に供給される。速度検出器１２では、テープ再生速度が０．５倍速未満の微速再生となったことを確認すると、そのことを選択器７Ｂに通知する。微速再生通知を受けた選択器７Ｂは、微速再生（０．５倍速未満）時の変換テーブルを記憶器１０から呼び出して変換器本体７Ａに供給する。一方、このとき、フィールド検出器１１は、再生器５から供給されるデジタル映像信号から現在再生中のフィールド位置情報を読み出し、そのフィールド位置情報を変換器本体７Ａに供給する。変換器本体７Ａは、選択器７Ｂから供給された変換テーブルと、フィールド検出器１１から供給されるフィールド位置情報とに基づいて、微速再生（０．５倍速未満）時におけるタイムコード変換（ＴＣ３０→ＴＣ２４）を実施する。これにより、３０ＦＰＳ信号を０．５倍速未満といった微速再生を実施する際においても、ＴＣ３０を精度高くＴＣ２４に変換することが可能となる。なお、図１３に示す変換テーブルは、２−３プルダウン変換処理を実施する場合における微速再生用変換テーブルであって、２４ｐ映像信号を他のフォーマット変換で６０ｉ映像信号に変換する場合においては、そのフォーマット変換に対応した変換テーブルが設定されて記憶器１０に記憶される。
【００５９】
上述した実施の形態では、３０ＦＰＳ信号から２４ＦＰＳ信号に変換する際に実施されるＴＣ３０からＴＣ２４の変換において本発明を実施した。本発明は、このような変換形態だけに実施可能な発明ではない。この他、３０ＦＰＳ信号から２５ＦＰＳ信号に変換する際に実施されるＴＣ３０からＴＣ２５への変換、または２４ＦＰＳ信号から３０ＦＰＳ信号に変換する際に実施されるＴＣ２４からＴＣ３０の変換においても本発明を実施することができる。さらには、インターレス信号だけでなく、例えば１秒間に６０ＦＰＳの信号に３０ＨｚのＴＣ（ＴＣ３０）を付加したプログレッシブの信号であってもよい。つまり、本発明は、基本的には、どのようなタイムコード変換形態であっても実施することができる。
【００６０】
【発明の効果】
以上説明したように、本発明によれば、変換前の３０ＦＰＳ信号の同期信号となる３０Ｈｚ同期信号と、変換後の２４ＦＰＳ信号の同期信号となる２４Ｈｚ同期信号との間で同期が一致しないポイントにおいても、ＴＣ３０とＴＣ２４とを同期させることが可能となり、これにより、ＴＣ３０→ＴＣ２４のタイムコード変換の引き込み応答性が向上する。
【００６１】
さらには、微速再生時においても、タイムコードを正確に変換することが可能となり、その分、編集制御特性が向上する。
【図面の簡単な説明】
【図１】本発明の一実施形態のタイムコード変換装置を組み込んだ映像変換装置の構成を示すブロック図である。
【図２】変換テーブルの構成を示す図である。
【図３】タイムコードの変換パターン１を示すタイミングチャートである。
【図４】タイムコードの変換パターン２を示すタイミングチャートである。
【図５】タイムコードの変換パターン３を示すタイミングチャートである。
【図６】タイムコードの変換パターン４を示すタイミングチャートである。
【図７】タイムコードの変換パターン５を示すタイミングチャートである。
【図８】パターン１におけるタイムコードの変換過程を示すタイミングチャートである。
【図９】パターン２におけるタイムコードの変換過程を示すタイミングチャートである。
【図１０】パターン３におけるタイムコードの変換過程を示すタイミングチャートである。
【図１１】パターン４におけるタイムコードの変換過程を示すタイミングチャートである。
【図１２】パターン５におけるタイムコードの変換過程を示すタイミングチャートである。
【図１３】微速再生時の変換テーブルの構成を示す図である。
【符号の説明】
１  映像変換装置
２  ３０Ｈｚ同期信号発生器
３  ２４Ｈｚ同期信号発生器
４  テープ走行器
５  再生器
６  サンプリング器
７  ＴＣ変換器
７Ａ  変換器本体
７Ｂ  選択器
８  映像変換器
９  パターン検出器
１０  記録器
１１  フィールド検出器
１２  速度検出器
【図１】
2004312275.tif 000003
【図２】
2004312275.tif 000004
【図３】
2004312275.tif 000005
【図４】
2004312275.tif 000006
【図５】
2004312275.tif 000007
【図６】
2004312275.tif 000008
【図７】
2004312275.tif 000009
【図８】
2004312275.tif 000010
【図９】
2004312275.tif 000011
【図１０】
2004312275.tif 000012
【図１１】
2004312275.tif 000013
【図１２】
2004312275.tif 000014
【図１３】
2004312275.tif 000015